(57)【要約】      （修正有）【課題】吊り下げ部がＶ状に狭くなったネックレスであって、この吊り下げ部が狭くなったＶ状の狭着部に固着具をペンダントトップの吊り具を挿脱可能に取り付けるように形成してＶ状のネックレスを提供する。【解決手段】Ｖ状のネックレス１は、所定長さの細筒状の装飾部品のリンク材２を環状に連結し、その両面側の吊り下げ部３を左右対称状にＶ状に装飾部材４を連結し、その下端部に装飾具５を取り付ける。そして、この吊り下げ部３の左右対称状のＶ状に狭くなった狭着部６に、所要の装飾のペンダントトップ７の吊り具８を挿着自在に固着具９で一体感よく固着して、ペンダントとして装着できるようにする。上記ペンダントトップ７は、リング１０を介して吊り具８を連結して、チェーンネックレス１１に吊り具８を挿着して係止できるもので、この吊り具８をやや細長いリング状として上記したＶ状の狭着部６に挿入して装着できる。【選択図】図２
0003176311.tif 000002
【実用新案登録請求の範囲】
【請求項１】
吊り下げ部がＶ状に狭くなったネックレスであって、この吊り下げ部が狭くなったＶ状の狭着部に固着具をペンダントトップの吊り具を挿脱可能に取り付けるように形成したことを特徴とするＶ状のネックレス。
【請求項２】
ペンダントトップの吊り具がリング状でチェーンネックレスに係止して使用可能なもので、このペンダントのペンダントトップの吊り具を上記Ｖ状の狭着部に挿脱可能に取り付けるように形成した請求項１に記載のＶ状のネックレス。
【請求項３】
Ｖ状の狭着部の両側部が下方の狭着部側にいくにしたがって漸次幅広状となって、ペンダントトップの吊り具をＶ状の狭着部に挿脱できるように形成した請求項１または２に記載のＶ状のネックレス。
【請求項４】
Ｖ状の狭着部の一側部に固着具の一側部を蝶番状に旋回可能に装着し、固着具の他側部の折曲した係止片をＶ状の狭着部の他側部に係脱可能に係止して、ペンダントトップの吊り具を固着するように形成した請求項１ないし３のいずれかに記載のＶ状のネックレス。
【請求項５】
Ｖ状の狭着部に挿着するペンダントトップの吊り具の背面に挿入孔を開口していて、Ｖ状の狭着部に装着した固着具の内面側に突き出した突起を上記ペンダントトップの吊り具の挿入孔に嵌脱可能に形成した請求項１ないし４のいずれかに記載のＶ状のネックレス。
【考案の詳細な説明】
【技術分野】
【０００１】
本考案は、装身分野におけるＶ状のネックレスに関するものである。
【背景技術】
【０００２】
従来、装身具としてペンダントやネックレスなどが知られている。これらは、一般にチェーン状の環状の首飾りや、パール等の宝飾を連結したりしたものや、環状の首飾りに宝飾を吊り下げるものが知られている。
【０００３】
そして、特開平８−５６７１９号公報や特開２００７−１３６０７１号公報のようにネックレスやペンダントトップを、気分転換したり、衣服に合わせて身に付けられるように多様に利用することが提案されている。
【先行技術文献】
【特許文献】
【０００４】
【特許文献１】特開平８−５６７１９号公報
【特許文献２】特開２００７−１３６０７１号公報
【考案の開示】
【考案が解決しようとする課題】
【０００５】
しかし、これらの装身具では、環状の首飾りの両端部に連結係止具や留め具を係脱自在に設けて、ブローチやペンダントトップなどの装飾具を選択的に取り付けるもので、単独でネックレスとして使用するときに見栄えがしなく、また転用したときに一体感がなくて、いかにも転用したといった感じで、装身具としての価値を高めることが課題であった。
【課題を解決するための手段】
【０００６】
本考案は、上記のような点に鑑みたもので、上記の課題を解決するために、吊り下げ部がＶ状に狭くなったネックレスであって、この吊り下げ部が狭くなったＶ状の狭着部に固着具をペンダントトップの吊り具を挿脱可能に取り付けるように形成したことを特徴とするＶ状のネックレスを提供するものである。
【０００７】
また、ペンダントトップの吊り具がリング状でチェーンネックレスに係止して使用可能なもので、このペンダントのペンダントトップの吊り具を上記Ｖ状の狭着部に挿脱可能に取り付けるように形成したことを特徴とするＶ状のネックレスを提供するものである。
【０００８】
さらに、Ｖ状の狭着部の両側部が下方の狭着部側にいくにしたがって漸次幅広状となって、ペンダントトップの吊り具をＶ状の狭着部に挿脱できるように形成したことを特徴とするＶ状のネックレスを提供するものである。
【０００９】
さらにまた、Ｖ状の狭着部の一側部に固着具の一側部を蝶番状に旋回可能に装着し、固着具の他側部の折曲した係止片をＶ状の狭着部の他側部に係脱可能に係止して、ペンダントトップの吊り具を固着するように形成したことを特徴とするＶ状のネックレスを提供するものである。
【００１０】
またさらに、Ｖ状の狭着部に挿着するペンダントトップの吊り具の背面に挿入孔を開口していて、Ｖ状の狭着部に装着した固着具の内面側に突き出した突起を上記ペンダントトップの吊り具の挿入孔に嵌脱可能に形成したことを特徴とするＶ状のネックレスを提供するものである。
【考案の効果】
【００１１】
本考案のＶ状ネックレスは、実用新案登録請求の範囲の請求項１のように、吊り下げ部がＶ状に狭くなったネックレスで、Ｖ状のネックレスとして単体としても品よく装飾できるものである。
そして、この吊り下げ部が狭くなったＶ状の狭着部に固着具をペンダントトップの吊り具を挿脱可能に取り付けるように形成したことによって、上記Ｖ状のネックレスにペンダントも一体的に挿着できて、Ｖ状のネックレスにペンダントを一体感を有するように装飾でき、Ｖ状のネックレスの付加価値を高めることができる。
【００１２】
また、上記請求項２のように、ペンダントトップの吊り具がリング状でチェーンネックレスに係止して使用可能なもので、このペンダントのペンダントトップの吊り具を上記Ｖ状の狭着部に挿脱可能に取り付けるように形成したことによって、チェーンネックレスのペンダントトップの転用がはかれて、上記のようにＶ状のネックレスに一体感よく装着することができる。
【００１３】
さらに、上記請求項３のように、Ｖ状の狭着部の両側部が下方の狭着部側にいくにしたがって漸次幅広状となって、ペンダントトップの吊り具をＶ状の狭着部に挿脱できるように形成したことによって、Ｖ状のネックレスの狭着部にペンダントのリング状の吊り具を一体感よく、しっかりと装着できるものである。
【００１４】
さらに、上記請求項４のように、Ｖ状の狭着部の一側部に固着具の一側部を蝶番状に旋回可能に装着し、固着具の他側部の折曲した係止片をＶ状の狭着部の他側部に係脱可能に係止して、ペンダントトップの吊り具を固着するように形成したことによって、Ｖ状のネックレスの狭着部に固着具を開閉することで、上記したようにペンダントトップの吊り具を挿脱自在に装着できる。
【００１５】
またさらに、上記請求項５のように、Ｖ状の狭着部に挿着するペンダントトップの吊り具の背面に挿入孔を開口していて、Ｖ状の狭着部に装着した固着具の内面側に突き出した突起を上記ペンダントトップの吊り具の挿入孔に嵌脱可能に形成したことによって、Ｖ状の狭着部にペンダントトップの吊り具を固着具の突起を介して固定でき、確実にペンダントトップを装着することができる。
【図面の簡単な説明】
【００１６】
【図１】本考案の一実施例の一部省略した正面図、
【図２】同上のペンダントトップを装着した一部省略した正面図（ａ）と参考図（ｂ）、
【図３】同上のＶ状の背面側の狭着部の拡大説明用図（ａ）、（ｂ）、
【図４】同上のペンダントトップの吊り具の装着説明用図（ａ）、（ｂ）、
【図５】同上の他の実施例のリング状の留め具説明用図（ａ）、（ｂ）。
【考案を実施するための形態】
【００１７】
本考案のＶ状のネックレスは、吊り下げ部がＶ状に狭くなったネックレスであって、この吊り下げ部が狭くなったＶ状の狭着部に固着具をペンダントトップの吊り具を挿脱可能に取り付けるように形成したことを特徴としている。
【００１８】
Ｖ状のネックレス１は、図１のように所定長さの細筒状等の装飾部品のリンク材２を環状に連結していて、その両面側の吊り下げ部３を左右対称状にＶ状に装飾部材４を連結し、その下端部に装飾具５を取り付けて、品よく形成している。
【００１９】
そして、この吊り下げ部３の左右対称状のＶ状に狭くなった狭着部６に、図２（ａ）のように所要の装飾のペンダントトップ７の吊り具８を挿着自在に固着具９で一体感よく固着して、ペンダントとして装着できるようにしている。
【００２０】
ペンダントトップ７は、図２（ｂ）のようにリング１０を介して吊り具８を連結し、図２（ｂ）のようにチェーンネックレス１１にも吊り具８を挿着して係止できるようにしているもので、この吊り具８をやや細長いリング状として上記したＶ状の狭着部６に挿入して装着できるようにしている。
【００２１】
Ｖ状に狭くなった狭着部６は、図３（ａ）、（ｂ）のようにネックレス１のその両側面部のやや上方からその下方の狭着部６にいくにしたがって漸次幅広状として、上記したようにペンダントトップ７の吊り具８にそうように形成している。そして、この狭着部６の背面部の一側部に固着具９の一側部を蝶番状に旋回可能に装着し、固着具９の他側部の折曲した係止片１３を装着部６の背面部の他側部に弾性的に係止し、狭着部６に吊り下げ可能にしてペンダントトップ７の吊り具８を挿脱可能に装着できるようにしている。
【００２２】
ペンダントトップ７の吊り具８の背面部には、図４（ａ）のように挿入孔１４を開口し、固着具９の内面則に突設した突起１５を嵌脱可能に挿入するようにして、ペンダントトップ７を狭着部６から容易に取り外れないように確実に係止しておけるようにしている。  
【００２３】
なお、ペンダントトップ７の吊り具８として、図５（ａ）、（ｂ）のようにリング状の留め部１６と一体化するとともに両側を側方へそれぞれ折曲自在として一側片を他側片に係脱可能に形成し、狭着部６に別途利用可能なペンダントトップ７を取り付けられるようにしている。
【実施例】
【００２４】
図１以下は、本考案の実施例である。Ｖ状のネックレス１は、図１のように所定長さの細筒状の装飾部品のリンク材２を環状に連結し、その両面側の吊り下げ部３を左右対称状にＶ状に装飾部材４を連結し、その下端部に装飾具５を取り付けて、品よく形成したものである。そして、この吊り下げ部３の左右対称状のＶ状に狭くなった狭着部６に、図２（ａ）のように所要の装飾のペンダントトップ７の吊り具８を挿着自在に固着具９で一体感よく固着して、ペンダントとして装着できるようにしている。
【００２５】
上記ペンダントトップ７は、図２（ｂ）のようにリング１０を介して吊り具８を連結して、チェーンネックレス１１に吊り具８を挿着して係止できるもので、この吊り具８をやや細長いリング状として上記したＶ状の狭着部６に挿入して装着できるようにしたものである。
【００２６】
Ｖ状に狭くなった狭着部６は、図３（ａ）のようにネックレス１のその両側面部のやや上方からその下方の狭着部６にいくにしたがって漸次幅広状とし、上記したようにペンダントトップ７のやや細長いリング状の吊り具８にそうように形成している。
【００２７】
そして、この狭着部６の背面部に図３（ａ）、（ｂ）のように固着具９を旋回可能に装着し、ペンダントトップ７の吊り具８を図４（ａ）のように上方から狭着部６に挿入し、図４（ｂ）のように固着具９を旋回して閉じて装着できるようにしている。
【００２８】
したがって、図１のようにＶ状のネックレス１だけを使用できるのはもちろん、図２（ａ）のようにＶ状のネックレス１にペンダントトップ７を一体的に挿着できて、Ｖ状のネックレス１をペンダントとしても一体感を有するように装着できて、Ｖ状のネックレスの付加価値を高めることができる。
【００２９】
また、図２（ａ）、（ｂ）のようにチェーンネックレス１１のペンダントトップ７の流用がはかれて、上記のようにＶ状のネックレス１として一体感よく装着することができる。
【００３０】
また、図４（ａ）のようにペンダントトップ７の吊り具８の背面部に挿入孔１４を開口し、図４（ｂ）のように固着具９の内面則に突設した突起１５を嵌脱可能に挿入でき、ペンダントトップ７を狭着部６から取り外れないように確実に係止することができる。
【００３１】
さらに、図５（ａ）、（ｂ）は、ペンダントトップ７の吊り具８として、リング状の留め部１６と一体化するとともに、その両側を側方へそれぞれ折曲自在として一側片を他側片に係脱可能に形成し、狭着部６にペンダントトップ７を取り付るようにしたものである。このようなリング状の留め部１６を用いることによって、他に利用可能のペンダントトップ７を本件のＶ状のネックレス１に使用するようにできる。
【００３２】
上記では、Ｖ状のネックレスの一例について説明したが、その他のＶライン状のネックレスについても、上記した本考案の趣旨にもとづいて適用可能であり、さらに固着具やリング状の吊り具にくいても、適宜な他の変形態様を採択できるものである。
【産業上の利用可能性】
【００３３】
本考案は、装身分野におけるＶ状のネックレスに利用することができる。
【符号の説明】
【００３４】
１…ネックレス      ３…吊り下げ部      ５…装飾具      ６…狭着部  
７…ペンダントトップ    ８…吊り具      ９…固着具    １０…リング
１４…挿入孔        １５…突起
【図１】
0003176311.tif 000003
【図２】
0003176311.tif 000004
【図３】
0003176311.tif 000005
【図４】
0003176311.tif 000006
【図５】
0003176311.tif 000007
【手続補正書】
【提出日】平成24年4月18日(2012.4.18)
【手続補正１】
【補正対象書類名】図面
【補正対象項目名】図３
【補正方法】変更
【補正の内容】
【図３】
0003176311.tif 000008
【手続補正２】
【補正対象書類名】図面
【補正対象項目名】図４
【補正方法】変更
【補正の内容】
【図４】
0003176311.tif 000009